(57)【要約】【課題】映像信号の出力フォーマットの切り換えによる表示の違和感を緩和できるようにする。【解決手段】マイコン１４は、入力される映像信号の信号フォーマットが変化したと判断した場合、ユーザにより入力部１５を構成するボタンの操作の指示に基づいて、特定のＧＵＩ画面の表示が指示されている、すなわち、映像信号に特定の情報が重畳されているか否かを判断する。映像信号に特定の情報が重畳されていると判断された場合、マイコン１４は、解像度変換部１６およびＧＵＩ生成部１７を制御し、映像信号の出力の信号フォーマットの切り換えを禁止し、今まで出力していた信号フォーマットのままで映像信号を出力させる。本発明は、テレビジョン受像機に適用することができる。【選択図】　　　図１
2004007062.tif 000002
【特許請求の範囲】
【請求項１】
映像信号の入力フォーマットに対応して、映像出力端子から出力する前記映像信号の出力フォーマットを切り換える切り換え手段を備える映像信号処理装置において、
ユーザの操作に基づいて、前記映像信号に特定の情報が重畳されているか否かを判断する判断手段と、
前記判断手段により前記映像信号に前記特定の情報が重畳されていると判断された場合、前記映像信号の前記入力フォーマットに拘らず、前記切り換え手段により前記映像信号の前記出力フォーマットを切り換えることを禁止する禁止手段と
を備えることを特徴とする映像信号処理装置。
【請求項２】
前記特定の情報は、ＧＵＩの情報である
ことを特徴とする請求項１に記載の映像信号処理装置。
【請求項３】
映像信号の入力フォーマットに応じて、映像出力端子から出力する前記映像信号の出力フォーマットを切り換える切り換え手段を備える映像信号処理装置の映像信号処理方法において、
ユーザの操作に基づいて、前記映像信号に特定の情報が重畳されているか否かを判断する判断ステップと、
前記判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと
を含むことを特徴とする映像信号処理方法。
【請求項４】
映像信号の入力フォーマットに応じて、映像出力端子から出力する前記映像信号の出力フォーマットを切り換える切り換え手段を備える映像信号処理装置用のプログラムであって、
ユーザの操作に基づいて、前記映像信号に特定の情報が重畳されているか否かを判断する判断ステップと、
前記判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと
を含むことを特徴とするコンピュータが読み取り可能なプログラムが記録されている記録媒体。
【請求項５】
映像信号の入力フォーマットに応じて、映像出力端子から出力する前記映像信号の出力フォーマットを切り換える切り換え手段を備える映像信号処理装置のコンピュータに、
ユーザの操作に基づいて、前記映像信号に特定の情報が重畳されているか否かを判断する判断ステップと、
前記判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと
を実行させることを特徴とするプログラム。
【請求項６】
映像信号の入力フォーマットに対応して、映像出力端子から出力する前記映像信号の出力フォーマットを切り換える切り換え手段を備える映像信号処理装置において、
ユーザの操作に基づいて、前記映像信号に特定の情報が重畳されているか否かを判断する第１の判断手段と、
前記第１の判断手段により前記映像信号に前記特定の情報が重畳されていると判断された場合、前記映像信号の前記入力フォーマットに拘らず、前記切り換え手段により前記映像信号の前記出力フォーマットを切り換えることを禁止する禁止手段と、
前記禁止手段により前記映像信号の前記出力フォーマットの切り換えが禁止されている場合、前記ユーザの操作に基づいて、前記映像信号への前記特定の情報の重畳が終了したか否かを判断する第２の判断手段と
を備え、
前記第２の判断手段により前記映像信号への前記特定の情報の重畳が終了したと判断されたとき、前記切り換え手段は、前記映像信号の前記入力フォーマットに対応して、前記映像信号の前記出力フォーマットを切り換える
ことを特徴とする映像信号処理装置。
【請求項７】
前記特定の情報は、ＧＵＩの情報である
ことを特徴とする請求項６に記載の映像信号処理装置。
【請求項８】
映像信号の入力フォーマットに応じて、映像出力端子から出力する前記映像信号の出力フォーマットを切り換える切り換え手段を備える映像信号処理装置の映像信号処理方法において、
ユーザの操作に基づいて、前記映像信号に特定の情報が重畳されているか否かを判断する第１の判断ステップと、
前記第１の判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと、
前記禁止ステップの処理により前記映像信号の前記出力フォーマットの切り換えが禁止されている場合、前記ユーザの操作に基づいて、前記映像信号への前記特定の情報の重畳が終了したか否かを判断する第２の判断ステップと
を含み、
前記第２の判断ステップの処理により前記映像信号への前記特定の情報の重畳が終了したと判断されたとき、前記切り換え手段は、前記映像信号の前記入力フォーマットに対応して、前記映像信号の前記出力フォーマットを切り換える
ことを特徴とする映像信号処理方法。
【請求項９】
映像信号の入力フォーマットに応じて、映像出力端子から出力する前記映像信号の出力フォーマットを切り換える切り換え手段を備える映像信号処理装置用のプログラムであって、
ユーザの操作に基づいて、前記映像信号に特定の情報が重畳されているか否かを判断する第１の判断ステップと、
前記第１の判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと、
前記禁止ステップの処理により前記映像信号の前記出力フォーマットの切り換えが禁止されている場合、前記ユーザの操作に基づいて、前記映像信号への前記特定の情報の重畳が終了したか否かを判断する第２の判断ステップと
を含み、
前記第２の判断ステップの処理により前記映像信号への前記特定の情報の重畳が終了したと判断されたとき、前記切り換え手段は、前記映像信号の前記入力フォーマットに対応して、前記映像信号の前記出力フォーマットを切り換えることを特徴とするコンピュータが読み取り可能なプログラムが記録されている記録媒体。
【請求項１０】
映像信号の入力フォーマットに応じて、映像出力端子から出力する前記映像信号の出力フォーマットを切り換える切り換え手段を備える映像信号処理装置のコンピュータに、
ユーザの操作に基づいて、前記映像信号に特定の情報が重畳されているか否かを判断する第１の判断ステップと、
前記第１の判断ステップの処理により前記映像信号に前記特定の情報が重畳されていると判断された場合、前記映像信号の前記入力フォーマットに拘らず、前記切り換え手段により前記映像信号の前記出力フォーマットを切り換えることを禁止する禁止ステップと、
前記禁止ステップの処理により前記映像信号の前記出力フォーマットの切り換えが禁止されている場合、前記ユーザの操作に基づいて、前記映像信号への前記特定の情報の重畳が終了したか否かを判断する第２の判断ステップと
を実行させ、
前記第２の判断ステップの処理により前記映像信号への前記特定の情報の重畳が終了したと判断されたとき、前記切り換え手段は、前記映像信号の前記入力フォーマットに対応して、前記映像信号の前記出力フォーマットを切り換えるを実行させることを特徴とするプログラム。
【発明の詳細な説明】
【０００１】
【発明の属する技術分野】
本発明は、映像信号処理装置および方法、記録媒体、並びにプログラムに関し、特に、映像信号の出力フォーマットの切り換えによる表示の違和感を緩和できるようにする映像信号処理装置および方法、記録媒体、並びにプログラムに関する。
【０００２】
【従来の技術】
近年、放送における映像信号の信号フォーマットとしては、５２５ｉ（ｉｎｔｅｒｌａｃｅ）、５２５ｐ（ｐｒｏｇｒｅｓｓｉｖｅ）、１１２５ｉまたは７５０ｐが使用されている。そして、その映像信号をテレビジョン受像機から映像信号入力装置（例えば、ディスプレイ装置）に出力する映像信号出力端子として、日本電子機械工業会（ＥＩＡＪ：Ｅｌｅｃｔｒｏｎｉｃ　Ｉｎｄｕｓｔｒｉｅｓ　Ａｓｓｏｃｉａｔｉｏｎ　ｏｆ　Ｊａｐａｎ）のＣＰ−４１２０で規定されているＤ端子が使用される。
【０００３】
このＤ端子は、５２５ｉの映像信号に対応するＤ１端子、５２５ｉまたは５２５ｐの映像信号に対応するＤ２端子、５２５ｉ、５２５ｐまたは１１２５ｉの映像信号に対応するＤ３端子、および、５２５ｉ、５２５ｐ、１１２５ｉまたは７５０ｐの映像信号に対応するＤ４端子により構成されており、各テレビジョン受像機において、入力の信号フォーマットとＤ端子の設定に基づいて、映像信号の出力される映像信号の信号フォーマット（出力フォーマット）の仕様が予め定められている。
【０００４】
例えば、Ｄ端子の出力設定（以下、出力フォーマット設定とも称する）がＤ４端子の場合、入力される映像信号のうち、１１２５ｉの信号フォーマットの映像信号が１１２５ｉの信号フォーマットで出力され、７５０ｐの信号フォーマットの映像信号が７５０ｐの信号フォーマットで出力されることが定められている。
【０００５】
【発明が解決しようとする課題】
以上のような出力フォーマットの仕様のＤ端子を有するテレビジョン受像機においては、入力される映像信号の信号フォーマットが切り換わると、それに対応して、Ｄ端子から出力される映像信号の信号フォーマットも同時に切り換わる。
【０００６】
したがって、このテレビジョン受像機にＤ端子を介して接続されているディスプレイ装置に、録画予約の設定用のＧＵＩ画面が表示されている場合であっても、例えば、ユーザにより、入力部を構成する所定のボタンが押され、入力されている映像信号の信号フォーマットが切り換わったとき、それに対応して、映像信号の出力の信号フォーマットが切り換わってしまう。これにより、テレビジョン受像機の同期が乱れてしまうため、入力部を構成する所定のボタンにより操作を行っているユーザの意思には関係なく、ディスプレイ装置の表示画面が一旦変化してしまうという課題があった。
【０００７】
さらに、ディスプレイ装置の表示画面を一旦変化させるためには、出力の信号フォーマットに対応させて、録画予約の設定用のＧＵＩ画面を一旦作り直す必要がある。しかしながら、ユーザにより入力部を構成する所定のボタンにより入力されている途中（すなわち、決定されていない）のＧＵＩ画面の予約時刻などの詳細情報は、すべてが記憶されているわけではないため、ＧＵＩ画面が一旦作り直された場合には、それらの情報が消去されてしまうという課題があった。
【０００８】
本発明はこのような状況に鑑みてなされたものであり、映像信号の出力フォーマットの切り換えによる表示の違和感を緩和できるようにするものである。
【０００９】
【課題を解決するための手段】
本発明の第１の映像信号処理装置は、ユーザの操作に基づいて、映像信号に特定の情報が重畳されているか否かを判断する判断手段と、判断手段により映像信号に特定の情報が重畳されていると判断された場合、映像信号の入力フォーマットに拘らず、切り換え手段により映像信号の出力フォーマットを切り換えることを禁止する禁止手段とを備えることを特徴とする。
【００１０】
特定の情報は、ＧＵＩの情報であるようにすることができる。
【００１１】
本発明の第１の映像信号処理方法は、ユーザの操作に基づいて、映像信号に特定の情報が重畳されているか否かを判断する判断ステップと、判断ステップの処理により映像信号に特定の情報が重畳されていると判断された場合、映像信号の入力フォーマットに拘らず、切り換え手段により映像信号の出力フォーマットを切り換えることを禁止する禁止ステップとを含むことを特徴とする。
【００１２】
本発明の第１の記録媒体のプログラムは、ユーザの操作に基づいて、映像信号に特定の情報が重畳されているか否かを判断する判断ステップと、判断ステップの処理により映像信号に特定の情報が重畳されていると判断された場合、映像信号の入力フォーマットに拘らず、切り換え手段により映像信号の出力フォーマットを切り換えることを禁止する禁止ステップとを含むことを特徴とする。
【００１３】
本発明の第１のプログラムは、ユーザの操作に基づいて、映像信号に特定の情報が重畳されているか否かを判断する判断ステップと、判断ステップの処理により映像信号に特定の情報が重畳されていると判断された場合、映像信号の入力フォーマットに拘らず、切り換え手段により映像信号の出力フォーマットを切り換えることを禁止する禁止ステップとを実行させることを特徴とする。
【００１４】
本発明の第２の映像信号処理装置は、ユーザの操作に基づいて、映像信号に特定の情報が重畳されているか否かを判断する第１の判断手段と、第１の判断手段により映像信号に特定の情報が重畳されていると判断された場合、映像信号の入力フォーマットに拘らず、切り換え手段により映像信号の出力フォーマットを切り換えることを禁止する禁止手段と、禁止手段により映像信号の出力フォーマットの切り換えが禁止されている場合、ユーザの操作に基づいて、映像信号への特定の情報の重畳が終了したか否かを判断する第２の判断手段とを備え、第２の判断手段により映像信号への特定の情報の重畳が終了したと判断されたとき、切り換え手段は、映像信号の入力フォーマットに対応して、映像信号の出力フォーマットを切り換えることを特徴とする。
【００１５】
特定の情報は、ＧＵＩの情報であるようにすることができる。
【００１６】
本発明の第２の映像信号処理方法は、ユーザの操作に基づいて、映像信号に特定の情報が重畳されているか否かを判断する第１の判断ステップと、第１の判断ステップの処理により映像信号に特定の情報が重畳されていると判断された場合、映像信号の入力フォーマットに拘らず、切り換え手段により映像信号の出力フォーマットを切り換えることを禁止する禁止ステップと、禁止ステップの処理により映像信号の出力フォーマットの切り換えが禁止されている場合、ユーザの操作に基づいて、映像信号への特定の情報の重畳が終了したか否かを判断する第２の判断ステップとを含み、第２の判断ステップの処理により映像信号への特定の情報の重畳が終了したと判断されたとき、切り換え手段は、映像信号の入力フォーマットに対応して、映像信号の出力フォーマットを切り換えることを特徴とする。
【００１７】
本発明の第２の記録媒体のプログラムは、ユーザの操作に基づいて、映像信号に特定の情報が重畳されているか否かを判断する第１の判断ステップと、第１の判断ステップの処理により映像信号に特定の情報が重畳されていると判断された場合、映像信号の入力フォーマットに拘らず、切り換え手段により映像信号の出力フォーマットを切り換えることを禁止する禁止ステップと、禁止ステップの処理により映像信号の出力フォーマットの切り換えが禁止されている場合、ユーザの操作に基づいて、映像信号への特定の情報の重畳が終了したか否かを判断する第２の判断ステップとを含み、第２の判断ステップの処理により映像信号への特定の情報の重畳が終了したと判断されたとき、切り換え手段は、映像信号の入力フォーマットに対応して、映像信号の出力フォーマットを切り換えることを特徴とする。
【００１８】
本発明の第２のプログラムは、ユーザの操作に基づいて、映像信号に特定の情報が重畳されているか否かを判断する第１の判断ステップと、第１の判断ステップの処理により映像信号に特定の情報が重畳されていると判断された場合、映像信号の入力フォーマットに拘らず、切り換え手段により映像信号の出力フォーマットを切り換えることを禁止する禁止ステップと、禁止ステップの処理により映像信号の出力フォーマットの切り換えが禁止されている場合、ユーザの操作に基づいて、映像信号への特定の情報の重畳が終了したか否かを判断する第２の判断ステップとを実行させ、第２の判断ステップの処理により映像信号への特定の情報の重畳が終了したと判断されたとき、切り換え手段は、映像信号の入力フォーマットに対応して、映像信号の出力フォーマットを切り換えることを特徴とする。
【００１９】
本発明の第１の映像信号処理装置および方法、記録媒体、並びにプログラムにおいては、ユーザの操作に基づいて、映像信号に特定の情報が重畳されていると判断された場合、映像信号の入力フォーマットに拘らず、映像信号の出力フォーマットを切り換えることが禁止される。
【００２０】
本発明の第２の映像信号処理装置および方法、記録媒体、並びにプログラムにおいては、ユーザの操作に基づいて、映像信号に特定の情報が重畳されていると判断された場合、映像信号の入力フォーマットに拘らず、映像信号の出力フォーマットを切り換えることが禁止される。映像信号の出力フォーマットの切り換えが禁止されている場合、ユーザの操作に基づいて、映像信号への特定の情報の重畳が終了したと判断されたとき、映像信号の入力フォーマットに対応して、映像信号の出力フォーマットが切り換えられる。
【００２１】
【発明の実施の形態】
以下、図を参照して本発明の実施の形態について説明する。
【００２２】
図１は、本発明を適用したテレビジョン受像機１の構成例を示している。このテレビジョン受像機１は、図示せぬディスプレイ装置とＤ端子１９で接続されている。
【００２３】
チューナ１１は、図示せぬアンテナを介して受信された放送信号を選局、復調し、デマルチプレクサ１２に出力する。デマルチプレクサ１２は、その放送信号を、映像信号および音声信号に分離し、その中の映像信号を、ＭＰＥＧ（ＭｏｖｉｎｇＰｉｃｔｕｒｅ　Ｅｘｐｅｒｔｓ　Ｇｒｏｕｐ）圧縮された映像信号として、デコーダ部１３に出力する。なお、音声信号は図示せぬオーディオデコーダ部に出力され、処理される。
【００２４】
デコーダ部１３は、その映像信号を、信号フォーマットに応じて、ベースバンドにデコードし、解像度変換部１６に出力する。また、デコーダ部１３は、その映像信号に対する信号フォーマットの情報をマイクロコンピュータ（以下、マイコンと称する）１４に出力する。なお、信号フォーマットは、放送信号において、大きく分類して、５２５ｉ、５２５ｐ、１１２５ｉおよび７５０ｐの４つの信号フォーマットが定義されている。ここで、数字は走査線の数を表し、ｉはインターレース（飛び越し走査）方式を、ｐはプログレッシブ（順次走査）方式をそれぞれ表す。
【００２５】
マイコン１４は、ユーザの操作に対応する信号を出力する入力部１５からの入力に対応して各部を制御する。さらに、マイコン１４は、デコーダ部１３により入力された映像信号に対する信号フォーマットの情報、または、ユーザにより指定されたＤ端子１９の出力フォーマット設定に基づいて、解像度変換部１６またはＧＵＩ生成部１７を制御する。
【００２６】
入力部１５は、各種のスイッチ、ボタン、リモートコントローラなどで構成され、ユーザの操作に対応した信号を出力する。例えば、ユーザが録画予約などをするために、所定のボタンを押すと、録画予約画面の表示が指示され、入力部１５よりその指示信号がマイコン１４に出力される。これに対応して、マイコン１４は、ＧＵＩ生成部１７を制御し、録画予約画面に代表されるＧＵＩ画面（すなわち、特定の情報）の映像信号を生成させ、映像信号にそれを重畳させたりする。
【００２７】
解像度変換部１６は、デコーダ部１３から入力された映像信号を、マイコン１４の制御に応じて、色変換したり、解像度変換を実行し、ＧＵＩ生成部１７に出力する。
【００２８】
ＧＵＩ（Ｇｒａｐｈｉｃａｌ　Ｕｓｅｒ　Ｉｎｔｅｒｆａｃｅ）生成部１７は、解像度変換部１６より入力された映像信号に、マイコン１４の制御に応じて、メニュー画面、録画予約画面、番組詳細説明表示画面、または、ＥＰＧ（Ｅｌｅｃｔｒｏｎｉｃ　Ｐｒｏｇｒａｍ　Ｇｕｉｄｅ）などのＧＵＩ画面である特定の情報の映像信号を生成し、重畳し、Ｄ／Ａ（Ｄｉｇｉｔａｌ／Ａｎａｌｏｇ）変換部１８に出力する。また、ＧＵＩ生成部１７は、入力部１５を構成するボタンなどを介してユーザより入力された数字などの情報を、録画予約画面などの特定の情報に生成する。
【００２９】
Ｄ／Ａ変換部１８は、ＧＵＩ生成部１７より入力された映像信号をアナログ信号に変換し、Ｄ端子１９を介して、ディスプレイ装置に出力する。このＤ端子１９は、５２５ｉの映像信号に対応するＤ１端子、５２５ｉまたは５２５ｐの映像信号に対応するＤ２端子、５２５ｉ、５２５ｐまたは１１２５ｉの映像信号に対応するＤ３端子、および、５２５ｉ、５２５ｐ、１１２５ｉまたは７５０ｐの映像信号に対応するＤ４端子により構成される。そして、このテレビジョン受像機１においては、入力された映像信号の信号フォーマット（入力フォーマット）とＤ端子１９の出力フォーマット設定に基づいて、出力される映像信号の信号フォーマット（出力フォーマット）の仕様が、図２に示されるように、予め定められている。
【００３０】
図２は、このテレビジョン受像機１のＤ端子１９の出力フォーマットの仕様例を示す図である。
【００３１】
図２の例においては、出力設定（以下、出力フォーマット設定と適宜称する）がＤ１端子の場合、入力されるすべての信号フォーマットの映像信号が５２５ｉの信号フォーマットで出力され、出力フォーマット設定がＤ２端子の場合、入力される映像信号のうち、５２５ｉの信号フォーマットの映像信号が５２５ｉの信号フォーマットで出力され、５２５ｐ、１１２５ｉまたは７５０ｐの信号フォーマットの映像信号が５２５ｐの信号フォーマットで出力される。
【００３２】
出力フォーマット設定がＤ３端子の場合、入力される映像信号のうち、５２５ｉの信号フォーマットの映像信号が５２５ｉの信号フォーマットで出力され、５２５ｐの信号フォーマットの映像信号が５２５ｐの信号フォーマットで出力され、１１２５ｉまたは７５０ｐの信号フォーマットの映像信号が１１２５ｉの信号フォーマットで出力される。
【００３３】
また、出力フォーマット設定がＤ４端子の場合、入力される映像信号のうち、５２５ｉの信号フォーマットの映像信号が５２５ｉの信号フォーマットで出力され、５２５ｐの信号フォーマットの映像信号が５２５ｐの信号フォーマットで出力され、１１２５ｉの信号フォーマットの映像信号が１１２５ｉの信号フォーマットで出力され、７５０ｐの信号フォーマットの映像信号が７５０ｐの信号フォーマットで出力される。
【００３４】
以上のように、このＤ端子１９においては、入力される映像信号の信号フォーマットに基づいて、出力される映像信号の信号フォーマットが設定されているので、入力される映像信号の信号フォーマットが切り換わることにより、出力される映像信号の信号フォーマットも切り換わる。そして、このＤ端子１９の出力フォーマット設定に基づいて、マイコン１４は、解像度変換部１６またはＧＵＩ生成部１７を制御する。
【００３５】
図３は、解像度変換部１６の詳細な構成例を示すブロック図である。図３において、解像度変換部１６は、信号入力部３１、色変換部３２、縮小フィルタ３３、メモリ３４、および、拡大フィルタ３５により構成される。
【００３６】
信号入力部３１は、デコーダ部１３から入力された映像信号を色変換部３２に供給する。色変換部３２は、マイコン１４からの制御信号に応じて、供給された映像信号の信号フォーマットが入出力で異なる場合に色変換を実行する。
【００３７】
縮小フィルタ３３は、マイコン１４からの制御信号に応じて、高い解像度から低い解像度に解像度変換する場合に、映像信号を縮小してメモリ３４に書き出し、反対に、低い解像度から高い解像度に解像度変換する場合には、その映像信号をそのまま何もせず、メモリ３４に書き出す。拡大フィルタ３５は、マイコン１４からの制御信号に応じて、低い解像度から高い解像度に解像度変換する場合に、メモリ３４から読み出された映像信号を拡大して、ＧＵＩ生成部１７に書き出し、反対に、高い解像度から低い解像度に解像度変換する場合には、その映像信号をそのまま何もせず、ＧＵＩ生成部１７に書き出す。
【００３８】
上述した縮小フィルタ３３、メモリ３４および拡大フィルタ３５により実行される解像度変換処理について、図４を参照して詳しく説明する。図４の例の場合、５２５ｉの映像信号５１は、ブランキング領域６１および有効画像領域６２により構成され、水平サイズ５２５×垂直サイズ８５８である。また、１１２５ｉの映像信号５２は、ブランキング領域６３および有効画像領域６４により構成され、水平サイズ２２００×垂直サイズ１１２５である。
【００３９】
マイコン１４は、デコーダ部１３により入力された映像信号に対する信号フォーマットの情報、および、ユーザにより指定されたＤ端子１９の出力フォーマット設定（図２）に基づいて、入力の信号フォーマットと出力の信号フォーマットの解像度を比較判断する。そして、その映像信号の入力の信号フォーマットより出力の信号フォーマットの方が解像度が高いと判断された場合、縮小フィルタ３３、メモリ３４および拡大フィルタ３５は、映像信号の拡大解像度変換を実行する。
【００４０】
例えば、入力の信号フォーマット５２５ｉの映像信号が、出力の信号フォーマット１１２５ｉに拡大解像度変換されるとき、映像信号５１の水平位置１２２と垂直位置３７から水平サイズ７２０×垂直サイズ４８０の有効画像領域６２が切り出され、メモリ３４に書き出される。なお、この場合は、低い解像度から高い解像度に解像度変換するため、この映像信号はそのままの信号フォーマットで縮小フィルタ３３をスルーする。その後、有効画像領域６２は、拡大フィルタ３５によりメモリ３４より読み出されながら、水平サイズ１９２０×垂直サイズ１０８０の有効画像領域６４に拡大され、映像信号５２の水平位置１９２と垂直位置２０に配置され、ＧＵＩ生成部１７に出力される。これにより、５２５ｉの映像信号５１から１１２５ｉの映像信号５２への解像度変換が実行される。
【００４１】
また、反対に、入力の信号フォーマットより、出力の信号フォーマットの方が解像度が低いと判断された場合、縮小フィルタ３３、メモリ３４および拡大フィルタ３５は、映像信号の縮小解像度変換を実行する。
【００４２】
例えば、入力の信号フォーマット１１２５ｉの映像信号が、出力の信号フォーマット５２５ｉに縮小解像度変換されるとき、映像信号５２の水平位置１９２と垂直位置２０から、水平サイズ１９２０×垂直サイズ１０８０の有効画像領域６４が切り出され、縮小フィルタ３３で、水平サイズ７２０×垂直サイズ４８０の有効画像領域６２に縮小されて、メモリ３４に書き出される。その後、縮小された有効画像領域６２は、拡大フィルタ３５によりメモリから読み出されながら、映像信号５１の水平位置１２２と垂直位置３７に配置され、ＧＵＩ生成部１７に出力される。これにより、１１２５ｉの映像信号５２から５２５ｉの映像信号５１への解像度変換が実行される。なお、この場合は、高い解像度から低い解像度に解像度変換するため、この映像信号はそのままの信号フォーマットで拡大フィルタ３５をスルーする。
【００４３】
また、入力の信号フォーマットと、出力の信号フォーマットの解像度が同じであると判断された場合、縮小フィルタ３３、メモリ３４および拡大フィルタ３５は、映像信号をそのまま、ＧＵＩ生成部１７にスルーさせる。なお、この場合、縮小フィルタ３３は、有効画像領域を切り出し、そのまま、メモリ３４に書き出す。その後、拡大フィルタ３５は、メモリ３４の有効画像領域をそのままの信号フォーマットの映像信号の所定の位置に配置し、ＧＵＩ生成部１７に書き出す。
【００４４】
以上のようにして、テレビジョン受像機１において、入出力で信号フォーマットが異なった場合、入力された映像信号の有効画像領域が切り出され、出力の信号フォーマットの有効画像領域のサイズに拡大縮小され、出力の信号フォーマットで規定されている有効画像の位置にセットされることにより、解像度変換が実行される。これにより、映像信号は、Ｄ端子１９の出力フォーマットの仕様に基づいた信号フォーマットで出力される。
【００４５】
次に、図５のフローチャートに基づいて、テレビジョン受像機１の色変換処理の説明をする。
【００４６】
信号入力部３１は、デコーダ部１３からの信号フォーマットの映像信号を色変換部３２に供給する。そこで、ステップＳ１において、マイコン１４は、デコーダ部１３により入力された映像信号に対する入力の信号フォーマットの情報に基づいて、その映像信号の入力の信号フォーマットが５２５ｉまたは５２５ｐであるか否かを判断する。
【００４７】
ステップＳ１において、その映像信号の入力の信号フォーマットが５２５ｉまたは５２５ｐであると判断された場合、ステップＳ２において、マイコン１４は、ユーザにより指定されているＤ端子１９の出力フォーマット設定（図２）に基づいて、その映像信号の出力の信号フォーマットが５２５ｉまたは５２５ｐであるか否かを判断する。すなわち、Ｄ端子１９の出力フォーマット設定が、Ｄ１端子またはＤ２端子であれば、映像信号の出力の信号フォーマットが５２５ｉまたは５２５ｐであると判断され、Ｄ端子１９の出力フォーマット設定が、Ｄ３端子またはＤ４端子であれば、映像信号の出力の信号フォーマットが１１２５ｉまたは７５０ｐである（映像信号の出力の信号フォーマットが５２５ｉおよび５２５ｐではない）と判断される。
【００４８】
ステップＳ２において、その映像信号の出力の信号フォーマットが５２５ｉおよび５２５ｐではないと判断された場合、ステップＳ３において、色変換部３２は、図７に示される色変換テーブルに基づいて、映像信号の６０１に規定された色フォーマットから７０９に規定された色フォーマットに色変換する。
【００４９】
ステップＳ１において、その映像信号の入力の信号フォーマットが５２５ｉおよび５２５ｐでないと判断された場合、ステップＳ４において、マイコン１４は、ユーザにより指定されているＤ端子１９の出力フォーマット設定に基づいて、その映像信号の出力の信号フォーマットが５２５ｉまたは５２５ｐであるか否かを判断し、その映像信号の出力の信号フォーマットが５２５ｉまたは５２５ｐであると判断された場合、ステップＳ５において、色変換部３２は、図６に示される色変換テーブルに基づいて、映像信号の７０９に規定された色フォーマットから６０１に規定された色フォーマットに色変換する。
【００５０】
ステップＳ２において、その映像信号の出力の信号フォーマットが５２５ｉまたは５２５ｐであると判断された場合、または、ステップＳ４において、その映像信号の出力の信号フォーマットが５２５ｉおよび５２５ｐではないと判断された場合、映像信号の入出力の色フォーマットは同じであるので、色変換は実行されない。
【００５１】
以上の色変換処理について、図６を参照して詳しく説明する。
【００５２】
図６は、色変換テーブルの例を示す図である。５２５ｉまたは５２５ｐの信号フォーマットの場合の色フォーマットは、ＣＣＩＲ（国際無線通信顧問委員会）−ＲＥＣ６０１により規定されており、１１２５ｉまたは７５０ｐの信号フォーマットの場合の色フォーマットは、ＣＣＩＲ−ＲＥＣ７０９により規定されているため、色変換部３２において、各信号フォーマットの規定に従って色変換が行われる。したがって、入出力の信号フォーマットを比較し、規定されている色フォーマットが異なっている場合のみ色変換が行われる。
【００５３】
図６の例においては、入力の信号フォーマットが５２５ｉまたは５２５ｐであり、出力の信号フォーマットが５２５ｉまたは５２５ｐである場合は、映像信号の色フォーマットは同じであるので、色変換は実行されない。入力の信号フォーマットが５２５ｉまたは５２５ｐであり、出力の信号フォーマットが１１２５ｉまたは７５０ｐである場合は、映像信号の色フォーマットが、６０１に規定された色フォーマットから７０９に規定された色フォーマットに変換される。
【００５４】
また、入力の信号フォーマットが１１２５ｉまたは７５０ｐであり、出力の信号フォーマットが５２５ｉまたは５２５ｐである場合は、映像信号の色フォーマットが、７０９に規定された色フォーマットから６０１に規定された色フォーマットに変換される。入力の信号フォーマットが１１２５ｉまたは７５０ｐであり、出力の信号フォーマットが１１２５ｉまたは７５０ｐである場合は、映像信号の色フォーマットは同じであるので、色変換は実行されない。
【００５５】
次に、図７のフローチャートに基づいて、テレビジョン受像機１のＤ端子１９の出力フォーマット設定の切り換え処理を説明する。
【００５６】
例えば、テレビジョン受像機１において、図２を参照に上述したＤ端子１９の出力フォーマット設定が、Ｄ４端子として設定されている。したがって、出力フォーマット設定がＤ４端子の場合、入力される映像信号のうち、５２５ｉの信号フォーマットの映像信号が５２５ｉの信号フォーマットで出力され、５２５ｐの信号フォーマットの映像信号が５２５ｐの信号フォーマットで出力され、１１２５ｉの信号フォーマットの映像信号が１１２５ｉの信号フォーマットで出力され、７５０ｐの信号フォーマットの映像信号が７５０ｐの信号フォーマットで出力される。
【００５７】
図示せぬアンテナを介して受信された放送信号は、チューナ１１およびデマルチプレクサ１２を介してデコーダ部１３に入力される。デコーダ部１３は、その放送信号の映像信号に対する信号フォーマットの情報をマイコン１４に出力する。
【００５８】
これに対応して、マイコン１４は、ステップＳ２１において、入力された映像信号の信号フォーマットが変化したか否かを判断する。
【００５９】
例えば、まず、１１２５ｉの信号フォーマットの映像信号が入力されており、Ｄ４端子として設定されたＤ端子１９からは、１１２５ｉの信号フォーマットの映像信号が出力される。この場合に、７５０ｐの信号フォーマットの映像信号が入力されると、Ｄ４端子の出力フォーマット設定（図２）に基づいて、Ｄ端子１９から出力される映像信号の信号フォーマットが７５０ｐである、すなわち、映像信号の出力の信号フォーマットを１１２５ｉから７５０ｐの信号フォーマットに切り換える必要があると判断される。
【００６０】
ステップＳ２１において、入力された映像信号の信号フォーマットが変化した（すなわち、映像信号の出力の信号フォーマットを切り換える必要がある）と判断された場合、ステップＳ２２において、マイコン１４は、ユーザによる入力部１５を構成するボタンの操作の指示に基づいて、ユーザにより、録画予約画面などの特定のＧＵＩ画面の表示が指示されているか、すなわち、映像信号に特定の情報が重畳されているか否かを判断する。
【００６１】
このＧＵＩ画面は、メニュー画面、録画予約画面、番組詳細説明表示画面、または、ＥＰＧ（Ｅｌｅｃｔｒｏｎｉｃ　Ｐｒｏｇｒａｍ　Ｇｕｉｄｅ）などにより構成される。ＧＵＩ画面は、ユーザにより入力部１５を構成するボタンなどが操作されることにより、サーバ１４により指示された出力の映像信号の信号フォーマットで、特定の情報として、ＧＵＩ生成部１７により生成され、解像度変換部１６からの映像信号に重畳される。
【００６２】
ステップＳ２２において、特定のＧＵＩ画面の表示が指示されている（映像信号に特定の情報が重畳されている）と判断された場合、ステップＳ２３において、マイコン１４は、縮小フィルタ３３、メモリ３４および拡大フィルタ３５を制御し、入力された７５０ｐの信号フォーマットの映像信号を、７５０ｐの信号フォーマットには切り換えず、今まで出力していた１１２５ｉの信号フォーマットのまま、ＧＵＩ生成部１７に出力させる。
【００６３】
すなわち、マイコン１４は、入力される７５０ｐの信号フォーマットの映像信号を、Ｄ端子１９の出力フォーマット設定に基づいて、７５０ｐの信号フォーマットで出力することを禁止し、今まで出力されていた１１２５ｉの信号フォーマットに解像度変換させ、出力させる。
【００６４】
具体的には、図４を参照して説明したように、例えば、信号フォーマットが７５０ｐの映像信号を、縮小フィルタ３３は、有効画像領域を切り出し、１１２５ｉの信号フォーマットに縮小して、メモリ３４に書き出し、拡大フィルタ３５は、メモリ３４の有効画像領域をそのまま、１１２５ｉの映像信号の所定の位置に配置し、ＧＵＩ生成部１７に書き出す。なお、いまの場合、ＧＵＩ生成部１７は、１１２５ｉの特定の情報を生成し、解像度変換部１６からの１１２５ｉの信号フォーマットの映像信号に重畳し、Ｄ／Ａ変換部１８に出力する。
【００６５】
このステップＳ２３の処理は、ユーザによる入力部１５を構成するボタンなどの操作に基づいて、ステップＳ２４において、マイコン１４によりＧＵＩ画面の表示を終了したと判断されるまで続けられる。
【００６６】
ステップＳ２４において、ＧＵＩ画面の表示を終了した（すなわち、映像信号への特定の情報の重畳を終了した）と判断された場合、または、ステップＳ２２において、ＧＵＩ画面の表示が指示されていない（映像信号に特定の情報が重畳されていない）と判断された場合、ステップＳ２５において、マイコン１４は、入力される７５０ｐの信号フォーマットの映像信号を、Ｄ端子１９の出力フォーマット設定に基づいて、１１２５ｉから所定（いまの場合、７５０ｐ）の信号フォーマットに切り換えて、ＧＵＩ生成部１７に出力させる。
【００６７】
具体的には、図４を参照して説明したように、例えば、信号フォーマットが７５０ｐの映像信号が入力された場合、縮小フィルタ３３は、有効画像領域を切り出し、そのまま、メモリ３４に書き出し、拡大フィルタ３５は、メモリ３４の有効画像領域をそのまま、７５０ｐの映像信号の所定の位置に配置し、ＧＵＩ生成部１７に書き出す。なお、いまの場合、ＧＵＩ画面の表示が指示されていないため、ＧＵＩ生成部１７は、解像度変換部１６からの７５０ｐの信号フォーマットの映像信号を何もせず、そのまま、Ｄ／Ａ変換部１８に出力する。
【００６８】
一方、ステップＳ２１において、入力された映像信号の信号フォーマットが変化していない、すなわち、映像信号の出力の信号フォーマットを切り換える必要はないと判断された場合、ステップＳ２６において、入力される１１２５ｉの信号フォーマットの映像信号を、Ｄ端子１９の出力フォーマット設定に基づいて、今まで出力していた、１１２５ｉの信号フォーマットで、ＧＵＩ生成部１７に出力させる。
【００６９】
以上により、映像信号の出力の信号フォーマットを切り換える必要があるとされた場合であっても、特定の情報であるＧＵＩ画面（例えば、録画予約画面）などが表示されている場合には、映像信号の出力の信号フォーマットの切り換えを禁止するようにしたので、ユーザにより入力部を構成する所定のボタンにより入力されている途中の情報（例えば、録画予約時刻）などが消去されることが防止される。
【００７０】
さらに、特定の情報であるＧＵＩ画面の表示が終了したときに、映像信号の出力の信号フォーマットの切り換えるようにしたので、ユーザの意思には関係なく、ディスプレイ装置の表示画面が一旦変化してしまうことによる違和感が緩和される。
【００７１】
上記説明においては、Ｄ４端子の場合について説明したが、Ｄ１端子乃至Ｄ３端子を使用するようにしてもよいし、例えば、Ｄ５端子または他の映像信号出力端子を使用するようにしてもよい。また、図２に示されるようなＤ端子の出力フォーマットの仕様を用いて説明したが、テレビジョン受像機１においては、Ｄ端子の他の出力フォーマットの仕様を用いるようにしてもよい。
【００７２】
本発明は、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式の場合について説明したが、ＰＡＬ（Ｐｈａｓｅ　Ａｌｔｅｒｎａｔｉｎｇ　Ｌｉｎｅ）方式の場合も適用される。
【００７３】
上述した一連の処理は、ハードウェアにより実行させることもできるが、ソフトウェアにより実行させることもできる。この場合、例えば、テレビジョン受信機１は、図８に示されるようなテレビジョン受信機１０１により構成される。
【００７４】
図８において、ＣＰＵ（Ｃｅｎｔｒａｌ　Ｐｒｏｃｅｓｓｉｎｇ　Ｕｎｉｔ）１１１は、ＲＯＭ（Ｒｅａｄ　Ｏｎｌｙ　Ｍｅｍｏｒｙ）１１２に記憶されているプログラム、または、記憶部１１８からＲＡＭ（Ｒａｎｄｏｍ　Ａｃｃｅｓｓ　Ｍｅｍｏｒｙ）１１３にロードされたプログラムに従って各種の処理を実行する。ＲＡＭ１１３にはまた、ＣＰＵ１１１が各種の処理を実行する上において必要なデータなどが適宜記憶される。
【００７５】
ＣＰＵ１１１、ＲＯＭ１１２、およびＲＡＭ１１３は、バス１１４を介して相互に接続されている。このバス１１４にはまた、入出力インタフェース１１５も接続されている。
【００７６】
入出力インタフェース１１５には、キーボード、マウスなどよりなる入力部１１６、ＣＲＴ（Ｃａｔｈｏｄｅ　Ｒａｙ　Ｔｕｂｅ），ＬＣＤ（Ｌｉｑｕｉｄ　Ｃｒｙｓｔａｌ　Ｄｉｓｐｌａｙ）などよりなるディスプレイ、並びにスピーカなどよりなる出力部１１７、ハードディスクなどより構成される記憶部１１８、モデム、ターミナルアダプタなどより構成される通信部１１９が接続されている。通信部１１９は、図示しないネットワークを介しての通信処理を行う。
【００７７】
入出力インタフェース１１５にはまた、必要に応じてドライブ１２０が接続され、磁気ディスク１２１、光ディスク１２２、光磁気ディスク１２３、或いは半導体メモリ１２４などが適宜装着され、それから読み出されたコンピュータプログラムが、必要に応じて記憶部１１８にインストールされる。
【００７８】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００７９】
この記録媒体は、図８に示すように、装置本体とは別に、ユーザにプログラムを提供するために配布される、プログラムが記録されている磁気ディスク１２１（フレキシブルディスクを含む）、光ディスク１２２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク１２３（ＭＤ（Ｍｉｎｉ−Ｄｉｓｋ）（商標）を含む）、もしくは半導体メモリ１２４などよりなるパッケージメディアにより構成されるだけでなく、装置本体に予め組み込まれた状態でユーザに提供される、プログラムが記録されているＲＯＭ１１２や、記憶部１１８に含まれるハードディスクなどで構成される。
【００８０】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００８１】
【発明の効果】
以上の如く、本発明によれば、映像信号の出力フォーマットの切り換えによる表示の違和感を緩和できる。さらに、本発明によれば、入力途中の情報などが消去されることが抑制される。
【図面の簡単な説明】
【図１】本発明を適用したテレビジョン受像機の構成例を示すブロック図である。
【図２】図１のテレビジョン受像機の出力端子の出力フォーマットの仕様例を示す図である。
【図３】図１のテレビジョン受像機の解像度変換部の構成例を示すブロック図である。
【図４】図１のテレビジョン受像機の解像度変換の処理を説明する図である。
【図５】図１のテレビジョン受像機の解像度変換部の色変換処理を説明するフローチャートである。
【図６】図１のテレビジョン受像機の色変換テーブルを示す図である。
【図７】図１のテレビジョン受像機の出力の信号フォーマット切り換え処理を説明するフローチャートである。
【図８】図１のテレビジョン受像機の他の構成例を示す図である。
【符号の説明】
１　テレビジョン受像機，１３　デコーダ部，１４　マイコン，１５　入力部，１６　解像度変換部，１７　ＧＵＩ生成部，１８　Ｄ／Ａ変換部，１９　Ｄ端子，３１　信号入力部，３２　色変換部，３３　縮小フィルタ，３４　メモリ，３５　拡大フィルタ
【図１】
2004007062.tif 000003
【図２】
2004007062.tif 000004
【図３】
2004007062.tif 000005
【図４】
2004007062.tif 000006
【図５】
2004007062.tif 000007
【図６】
2004007062.tif 000008
【図７】
2004007062.tif 000009
【図８】
2004007062.tif 000010